(57)【要約】【課題】ＧＵＩを用いた操作画面を直感的にかつ容易に操作可能なマルチメディア装置、画面表示方法を提供する。【解決手段】装置が備える機能の操作内容を示す項目を表示するメニュー又は前記項目を選択するための操作部と、前記操作部により選択された項目が示す操作内容に応じた制御を行う制御部と、を備えるマルチメディア装置において、前記操作部により選択されたメニュー及び当該メニューに表示される項目のうち前記機能の主な操作内容を示す第１の項目を拡大して表示させ、前記操作部により前記第１の項目が選択された場合に、前記第１の項目のより詳細な操作内容を示す第２の項目を表示させる。【選択図】図４
2011107736.tif 000002
【特許請求の範囲】
【請求項１】
装置が備える機能の操作内容を示す項目を表示するメニュー又は前記項目を選択するための操作部と、
前記操作部により選択された項目が示す操作内容に応じた制御を行う制御部と、を備え、
前記制御部は、前記操作部により選択されたメニュー及び当該メニューに表示される項目のうち前記機能の主な操作内容を示す第１の項目を拡大して表示させ、
前記操作部により前記第１の項目が選択された場合に、前記第１の項目のより詳細な操作内容を示す第２の項目を表示させることを特徴とするマルチメディア装置。 
【請求項２】
前記メニューを機能ごとに用意して表示する表示部をさらに備え、
前記制御部は、前記操作部により選択されたメニュー及び当該メニューに表示される前記第１の項目を前記表示部に拡大して表示させることを特徴とする請求項１に記載のマルチメディア装置。 
【請求項３】
前記第１の項目は、アイコンと、当該アイコンの名称と、から成ることを特徴とする請求項１又は２に記載のマルチメディア装置。 
【請求項４】
前記操作部は、前記メニュー又は項目を選択する際、上下左右方向に操作が可能であり、
前記第１の項目は、前記操作部により上下方向に操作されることで選択され、
前記メニュー及び前記第２の項目は、前記操作部により左右方向に操作されることで選択されることを特徴とする請求項１から３のいずれか一項に記載のマルチメディア装置。
【請求項５】
外部記録媒体を着脱可能な外部Ｉ／Ｆをさらに備え、
前記制御部は、前記外部記録媒体が前記外部Ｉ／Ｆに接続された際、当該外部記録媒体を示すアイコンを前記メニューに表示させることを特徴とする請求項１から４のいずれか一項に記載のマルチメディア装置。 
【請求項６】
前記メニューは、映像系メニューと、音声系メニューと、を含むことを特徴とする請求項１から５のいずれか一項に記載のマルチメディア装置。 
【請求項７】
装置が備える機能の操作内容を示す項目を表示するメニュー又は前記項目を選択するための操作部と、前記操作部により選択された項目が示す操作内容に応じた制御を行う制御部と、を備えるマルチメディア装置における画面表示方法であって、
制御部により、前記操作部により選択されたメニュー及び当該メニューに表示される項目のうち前記機能の主な操作内容を示す第１の項目を拡大して表示させ、
前記操作部により前記第１の項目が選択された場合に、前記第１の項目のより詳細な操作内容を示す第２の項目を表示させることを特徴とする画面表示方法。
【発明の詳細な説明】
【技術分野】
【０００１】
本発明は、マルチメディア装置、画面表示方法に関する。
【背景技術】
【０００２】
従来、ラジオ放送の視聴や音楽再生等のオーディオ機能、或いはテレビ放送の視聴や動画コンテンツの再生等のビジュアル機能、といった複数の機能を有するマルチメディア装置が知られている。このマルチメディア装置をユーザが操作するに当たり、ソフトウェアによるＧＵＩ（Graphical User Interface）形式で各機能を提供する技術が存在する。ＧＵＩとは、コンピュータグラフィックスとポインティングデバイスを用いて、直感的な操作を提供するユーザインタフェースのことである。
【０００３】
例えば、特許文献１には、マルチメディア装置によって提供される機能をＧＵＩによって体系的に表示する技術が開示されている。ＧＵＩを用いた操作画面の一具体例を図５に示す。
【０００４】
図５に示すように、従来技術に係るマルチメディア装置１００の表示部１０１に表示された操作画面上段のカテゴリ領域１０１ａには、機能（カテゴリ）ごとに分類されたアイコン群が水平方向に表示されている。具体的には、左から「カメラ」アイコン１１１、「ビューワ」アイコン１１２、「ミュージック」アイコン１１３、「コミュニケーション」アイコン１１４、「ツールボックス」アイコン１１５、「メディアツール」アイコン１１６、及び「設定」アイコン１１７が表示されている。ここでは、左から２番目の位置がフォーカス（操作）されており、該当する「ビューワ」アイコン１１２は他のアイコンに比べて大きめに表示されている。また、この「ビューワ」アイコン１１２の上部には、カテゴリ名称として「ビューワ」の文字が付記されている。
【０００５】
また、操作画面中段の機能表示領域１０１ｂには、カテゴリ表示領域１０１ａで操作対象となっているカテゴリに対応する詳細機能のアイコン及びその名称が垂直方向に表示されている。具体的には、上方から「アルバム」アイコン１３１、「メモリスティック」アイコン１３２、「最後に撮った画像」アイコン１３３、「最後に見た画像」アイコン１３４、及び「スライドショー」アイコン１３５、とそれらの名称が表示されている。ここでは、選択枠２００によって囲まれた機能がフォーカス（選択）されており、該当する「アルバム」アイコン１３１及びその名称は他のアイコン及びその名称よりも大きめに表示されている。
また、操作画面下段の機能説明表示領域１０１ｃには、選択されている機能（この例では「アルバム」機能）の説明が表示されている。
【０００６】
「ビューワ」アイコン１１２にカーソルを合わせた状態で、方向指示キーの左キーを押下すると、「カメラ」アイコン１１１がフォーカスされることとなる。「カメラ」アイコン１１１がフォーカスされた様子について、図６に示す。
【０００７】
図６に示すように、操作画面上段のカテゴリ領域１０１ａには、図５同様、カテゴリごとに分類されたアイコン群が水平方向に表示されている。ここでは、左端がフォーカス（操作）されており、該当する「カメラ」アイコン１１１は他のアイコンに比べて大きめに表示されている。また、この「カメラ」アイコン１１１の上部には、カテゴリ名称として「カメラ」の文字が付記されている。
【０００８】
また、操作画面中段の機能表示領域１０１ｂには、カテゴリ表示領域１０１ａで操作対象となっているカテゴリに対応する詳細機能のアイコン及びその名称が垂直方向に表示されている。具体的には、上方から「静止画」アイコン１２１、「動画」アイコン１２２、とそれらの名称が表示されている。ここでは、選択枠２００によって囲まれた機能がフォーカス（選択）されており、該当する「静止画」アイコン１２１及びその名称は他のアイコン及びその名称よりも大きめに表示されている。
また、操作画面下段の機能説明表示領域１０１ｃには、選択されている機能（この例では「静止画」機能）の説明が表示されている。
【０００９】
このように、従来技術に係るマルチメディア装置１００は、カテゴリ領域１０１ａを操作して選択するカテゴリを切り替えることにより、所望する機能を選択することが可能となっている。
【先行技術文献】
【特許文献】
【００１０】
【特許文献１】特開２００７−２７４３８１号公報
【発明の概要】
【発明が解決しようとする課題】
【００１１】
しかしながら、従来技術に係るマルチメディア装置１００は、各機能に対応したカテゴリ（項目）が一通り並んでいる中から所望の機能を選択する方法であり、ユーザにとって選択したい機能を直感的に絞り込むことが難しかった。
また、多数の機能を一つずつ項目に分けるため、画面に表示する際に数ページに渡っての表示が必要となり、機能を選択する度にページを切り替える必要があった。多数の機能を一つの画面に表示するようにすると、選択肢が細かくなりすぎてしまい、ユーザの視線の動きが多くなるため、所望の機能を選択することが難しくなっていた。
また、所望の機能を選択するためのカーソル移動が多くなっていた。
【００１２】
このように、多数の項目の中から所望の機能に対応する項目を選択することは、不慣れなユーザにとっては必ずしも容易ではなかった。
【００１３】
本発明は、ＧＵＩを用いた操作画面を直感的にかつ容易に操作可能なマルチメディア装置、画面表示方法を提供することを目的とする。
【課題を解決するための手段】
【００１４】
請求項１に記載の発明は、上記目的を達成するためになされたものであり、マルチメディア装置において、装置が備える機能の操作内容を示す項目を表示するメニュー又は前記項目を選択するための操作部と、前記操作部により選択された項目が示す操作内容に応じた制御を行う制御部と、を備え、前記制御部は、前記操作部により選択されたメニュー及び当該メニューに表示される項目のうち前記機能の主な操作内容を示す第１の項目を拡大して表示させ、前記操作部により前記第１の項目が選択された場合に、前記第１の項目のより詳細な操作内容を示す第２の項目を表示させることを特徴とする。
【００１５】
請求項２に記載の発明は、請求項１に記載のマルチメディア装置において、前記メニューを機能ごとに用意して表示する表示部をさらに備え、前記制御部は、前記操作部により選択されたメニュー及び当該メニューに表示される前記第１の項目を前記表示部に拡大して表示させることを特徴とする。
【００１６】
請求項３に記載の発明は、請求項１又は２に記載のマルチメディア装置において、前記第１の項目は、アイコンと、当該アイコンの名称と、から成ることを特徴とする。
【００１７】
請求項４に記載の発明は、請求項１から３のいずれか一項に記載のマルチメディア装置において、前記操作部は、前記メニュー又は項目を選択する際、上下左右方向に操作が可能であり、前記第１の項目は、前記操作部により上下方向に操作されることで選択され、前記メニュー及び前記第２の項目は、前記操作部により左右方向に操作されることで選択されることを特徴とする。
【００１８】
請求項５に記載の発明は、請求項１から４のいずれか一項に記載のマルチメディア装置において、外部記録媒体を着脱可能な外部Ｉ／Ｆをさらに備え、前記制御部は、前記外部記録媒体が前記外部Ｉ／Ｆに接続された際、当該外部記録媒体を示すアイコンを前記メニューに表示させることを特徴とする。
【００１９】
請求項６に記載の発明は、請求項１から５のいずれか一項に記載のマルチメディア装置において、前記メニューは、映像系メニューと、音声系メニューと、を含むことを特徴とする。
【００２０】
請求項７に記載の発明は、装置が備える機能の操作内容を示す項目を表示するメニュー又は前記項目を選択するための操作部と、前記操作部により選択された項目が示す操作内容に応じた制御を行う制御部と、を備えるマルチメディア装置における画面表示方法であって、制御部により、前記操作部により選択されたメニュー及び当該メニューに表示される項目のうち前記機能の主な操作内容を示す第１の項目を拡大して表示させ、前記操作部により前記第１の項目が選択された場合に、前記第１の項目のより詳細な操作内容を示す第２の項目を表示させることを特徴とする画面表示方法である。
【発明の効果】
【００２１】
本発明によれば、ＧＵＩを用いた操作画面を直感的にかつ容易に操作可能なマルチメディア装置、画面表示方法を提供することができる。
【図面の簡単な説明】
【００２２】
【図１】本実施形態に係るマルチメディア装置１の概略構成を示すブロック図である。
【図２】表示部１３に表示される操作画面の一例について示した図である。
【図３】オーディオメニュー又はビジュアルメニューが選択されたときの各メニュー画面について示した図である。
【図４】オーディオメニュー又はビジュアルメニューが選択されたときの表示部１３の一例について示した図である。
【図５】従来技術に係るマルチメディア装置１００の表示部１０１に表示される操作画面の一例について示した図である。
【図６】従来技術に係るマルチメディア装置１００の表示部１０１に表示された「カメラ」カテゴリに関する操作画面の一例について示した図である。
【発明を実施するための形態】
【００２３】
以下、本発明の実施の形態を図面に基づいて説明する。
【００２４】
図１は、本実施形態に係るマルチメディア装置１の概略構成を示すブロック図である。
図１に示すように、マルチメディア装置１は、制御部１１と、記憶部１２と、表示部１３と、操作部１４と、アンテナ１５と、ＴＶチューナ１６と、ラジオチューナ１７と、映像処理部１８と、音声処理部１９と、スピーカ２０と、外部Ｉ／Ｆ２１と、ディスク装置部２２と、を備えて構成される。
【００２５】
制御部１１は、例えば、ＣＰＵ（Central Processing Unit）、ＲＡＭ（Random Access Memory）、ＲＯＭ（Read Only Memory）等を備えて構成され、マルチメディア装置１の各部を制御する。
ＣＰＵは、ＲＯＭに格納された処理プログラム等を読み出して、ＲＡＭに展開して実行することにより、マルチメディア装置１全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリで構成され、処理プログラムやデータ等が予め記憶されている。
【００２６】
制御部１１は、例えば、選局の際にユーザにより指定操作された周波数を、ラジオチューナ１７に対して指定する。また、ＴＶチューナ１６又はラジオチューナ１７から入力される映像や音声のデータを、それぞれ映像処理部１８、音声処理部１９に出力する。また、これらの映像／音声データを録画／録音する際は、記憶部１２に出力する。
【００２７】
また、制御部１１は、操作部１４により選択された項目が示す操作内容に応じた制御を行う。例えば、操作部１４により選択されたメニュー及び当該メニューに表示される項目のうち機能の主な操作内容を示す第１の項目を表示部１３に拡大して表示させ、操作部１４により第１の項目が選択された場合に、第１の項目のより詳細な操作内容を示す第２の項目を表示させる。
また、制御部１１は、外部記録媒体が外部Ｉ／Ｆ２１に接続された際、当該外部記録媒体を示すアイコンをメニューに表示させる。
【００２８】
記憶部１２は、例えば、ＨＤＤ（Hard Disk Drive）で構成され、各種データを読み書き自在に記憶する。また、記憶部１２は、地上デジタルＴＶ放送、ＢＳ／ＣＳデジタルＴＶ放送の映像や音声のデータ、及びラジオ放送の音声のデータを記憶する。
記憶部１２に記憶された映像データは、映像処理部１８で信号処理され、表示部１３に出力される。また、記憶部１２に記憶された音声データは、音声処理部１９で信号処理され、スピーカ２０により音声に変換され、出力される。
【００２９】
表示部１３は、例えば、液晶や有機ＥＬ（Electro Luminescence）等のディスプレイを備え、制御部１１による表示制御に従って、各種操作画面をディスプレイ上に表示する。また、映像処理部１８から入力された映像信号に基づく映像を当該ディスプレイに表示する。さらに、マルチメディア装置１が備える機能の操作内容を示す項目を表示するメニューを機能ごとに用意して表示する。
なお、表示部１３は、マルチメディア装置１とは別体の外部表示装置であってもよい。
【００３０】
操作部１４は、マルチメディア装置１を操作するための操作キー群（例えば方向指示キー、決定キー、再生キー、停止キー等）を備え、ユーザの操作入力を受け付ける。操作部１４は、ユーザにより操作キーが操作されると、当該操作に応じた操作信号を生成して、制御部１１に出力する。
ユーザは、操作部１４を操作することにより、表示部１３に表示されるメニュー又は項目を選択する。なお、操作部１４は、表示部１３に表示されるメニュー又は項目を選択する際、上下左右方向に操作が可能である。
なお、操作部１４は、マルチメディア装置１に配置されている他、マルチメディア装置１とは別体のリモコン装置であってもよい。
【００３１】
アンテナ１５は、例えば、地上デジタルＴＶ放送、ＢＳ／ＣＳデジタルＴＶ放送、及びラジオ放送を受信可能に構成されている。アンテナ１５は、屋外において所定の方角に向けて配置され、テレビ放送局等から発信される高周波のデジタル放送信号、又はラジオ放送の放送局（親局）或いは中継局から電波として放射された放送信号を受信する。そして、受信した放送信号をマルチメディア装置１に出力する。
【００３２】
ＴＶチューナ１６は、例えば、地上デジタルＴＶ放送、ＢＳ／ＣＳデジタルＴＶ放送等の各放送方式に対応するチューナを備えている。例えば、地上デジタルチューナは、アンテナ１５により入力された高周波信号のデジタル放送信号の中から特定周波数帯の信号を抽出し、低周波信号に変換した後、ＡＤ変換等を行う。そして、ＴＶチューナ１６において選局されたチャンネルの信号に対してデジタル復調や誤り訂正等の復調処理を実行し、制御部１１に出力する。復調により得られた映像信号及び音声信号はデジタル化され、制御部１１により映像処理部１８、音声処理部１９、又は記憶部１２に出力される。
【００３３】
ラジオチューナ１７は、アンテナ１５から入力されるラジオ放送の放送信号のうち、制御部１１により指定された周波数に対応する放送信号を復調する。復調により得られた音声信号はデジタル化され、制御部１１により音声処理部１９又は記憶部１２に出力される。
【００３４】
映像処理部１８は、制御部１１により入力される映像データに対して各種映像処理を施し、映像信号を生成する。生成された映像信号は、ＰＴＳ（Presentation Time Stamp）に応じた再生タイミングで、表示部１３に出力される。
音声処理部１９は、制御部１１により入力される音声データに対して各種音声処理を施して音声信号を生成する。生成された音声信号は、ＰＴＳに応じた再生タイミングで、スピーカ２０に出力される。そして、スピーカ２０により音声に変換され、出力される。
【００３５】
外部Ｉ／Ｆ２１は、例えば、ＳＤカード、ＵＳＢメモリ等の外部記録媒体を着脱可能に構成され、当該外部記録媒体との間で定められた形式に従って、映像データや音声データの送受信を行う。
ディスク装置部２２は、例えば、ＣＤ（Compact Disc）、ＤＶＤ（Digital Versatile Disc）、ＢＤ（Blu-ray Disc）等のディスク媒体を着脱可能に構成され、当該ディスク媒体の記録再生を行う。
【００３６】
図２は、表示部１３に表示される操作画面の一例について示した図である。なお、この図２は、マルチメディア装置１が起動されたときに表示される初期メニューについて示している。
図２に示すように、表示部１３は、音声系メディアを操作するためのオーディオメニュー、及び映像系メディアを操作するためのビジュアルメニュー、それぞれに対応した画面Ａ、Ｖを同時に表示できるようになっている。本実施形態では、映像系メニュー（ビジュアルメニュー）と、音声系メニュー（オーディオメニュー）と、の２つのメニューが用意されているものとする。ユーザは、操作部１４を操作する（例えば方向指示キーの左右キーを操作する）ことにより、両メニューを自由に選択することが可能である。このように、メニューは、操作部１４により左右方向に操作されることで選択される。
【００３７】
オーディオメニュー画面Ａ、ビジュアルメニュー画面Ｖは、それぞれ第１アイコンを表示する第１アイコン画面Ａ１、Ｖ１、及び第２アイコンを表示する第２アイコン画面Ａ２、Ｖ２、で構成されている。
【００３８】
ここで、第１アイコンとは、マルチメディア装置１内で受信又は記憶するコンテンツに関するメニューを示すアイコンのことであり、例えば、ＴＶ放送に関するメニュー、記憶部１２に記憶したＴＶ放送や動画コンテンツに関するメニュー、ラジオ放送に関するメニュー、及び記憶部１２に記憶したラジオ放送や音声コンテンツに関するメニューを示す。
【００３９】
また、第２アイコンとは、マルチメディア装置１外の記録媒体を外部Ｉ／Ｆ２１に接続することにより利用可能なコンテンツ及びディスク装置部２２に装填されることにより利用可能なコンテンツに関するメニュー示すアイコンのことであり、例えば、映像系メディアを記録した外部メモリ（例えばＳＤカード、ＵＳＢメモリ、外部ＨＤＤ等）やディスクメディア（例えばＤＶＤ、ＢＤ等）、及び音声系メディアを記録した外部メモリ（例えばＳＤカード、ＵＳＢメモリ、外部ＨＤＤ等）やディスクメディア（ＣＤ、ＤＶＤオーディオ、ＳＡＣＤ（Super Audio CD）等）を示す。
【００４０】
この第１アイコン画面Ａ１、Ｖ１及び第２アイコン画面Ａ２、Ｖ２について、図３を用いて詳細に説明する。
【００４１】
図３は、オーディオメニュー又はビジュアルメニューが選択されたときの各メニュー画面について示した図である。なお、図３（ａ）は、オーディオメニューが選択されたときの一例であり、図３（ｂ）は、ビジュアルメニューが選択されたときの一例である。
【００４２】
図３（ａ）に示すように、オーディオメニュー画面Ａは、第１アイコン画面Ａ１と、第２アイコン画面Ａ２と、で構成されている。
第１アイコン画面Ａ１は、上から順に、ラジオを聴くための「ラジオを聴く」項目Ａ１１、ラジオの視聴を予約又はラジオを録音するための「ラジオの予約・録音」項目Ａ１２、録音したラジオ又は音楽を視聴・再生するための「録音したラジオ・音楽」項目Ａ１３、その他の機能をまとめた「その他メニューへ」項目Ａ１４、が表示されている。この第１アイコン画面Ａ１に表示される項目（第１の項目）は、機能の主な操作内容を示す。第１の項目は、操作部１４により上下方向に操作されることで選択される。なお、第１の項目は、アイコンと、当該アイコンの名称と、から成る。
【００４３】
また、図３（ａ）では、「ラジオを聴く」項目Ａ１１が選択枠３０に囲まれている。この選択枠３０は、ユーザが操作部１４を操作する（例えば方向指示キーの上下キーを操作する）ことにより、上下に移動させることができる。ユーザは、この選択枠３０を操作することにより、所望の項目を選択することができる。
図３（ａ）に示すように、ユーザが「ラジオを聴く」項目Ａ１１を選択すると、より詳細な操作内容を示す項目（第２の項目）が表示される。具体的には、ＡＭ放送を聴取するための「ＡＭ」項目Ａ１１１、ＦＭ放送を聴取するための「ＦＭ」項目Ａ１１２、が表示される。この第２の項目は、操作部１４により第１の項目が選択された場合にのみ表示される。ユーザは、操作部１４を操作する（例えば方向指示キーの左右キーを操作する）ことにより、小選択枠４０を左右に移動させることができる。このように、第２の項目は、操作部１４により左右方向に操作されることで選択される。これにより、ユーザは所望の項目を選択することができる。ここでは、「ＦＭ」項目Ａ１１２が選択されているため、ＦＭ放送の放送局を選択する画面に推移することが可能となっている。
「ＡＭ」項目Ａ１１１及び「ＦＭ」項目Ａ１１２のいずれかが選択されると、ＡＭ放送又はＦＭ放送の各々の放送局を選択する画面に推移し、所望の放送を聴取することが可能となる。
【００４４】
第２アイコン画面Ａ２は、左から順に、ＣＤ、ＤＶＤ、ＢＤ等のディスクメディアを示すディスクアイコンＡ２１、ＵＳＢメモリを示すＵＳＢアイコンＡ２２、ＳＤカードを示すＳＤアイコンＡ２３、が表示されている。第２アイコン画面Ａ２に表示される各アイコンは、その表示されたアイコンに対応するメディアが外部Ｉ／Ｆ２１又はディスク装置部２２に装着されていることを示している。すなわち、外部Ｉ／Ｆ２１又はディスク装置部２２から取り外されたメディアに対応するアイコンは、第２アイコン画面Ａ２に表示されない。例えば、外部Ｉ／Ｆ２１からＳＤカードが取り外された場合、第２アイコン画面Ａ２に表示されていたＳＤアイコンＡ２３が消えることとなる。
【００４５】
なお、ディスクアイコンＡ２１は、ＣＤ―ＤＡ（Compact Disc Digital Audio）や、ＭＰ３（MPEG Audio Layer-3）等の音楽データが記録されたＣＤ−Ｒ等のデータＣＤ、又はＤＶＤオーディオなど、オーディオに関するディスクがディスク装置部２２に装填されたときに表示させるようにしてもよい。同様に、ＵＳＢアイコンＡ２２、ＳＤアイコンＡ２３においても、オーディオに関するデータが記録された媒体が装着された場合に各アイコンを表示させるようにしてもよい。
【００４６】
図３（ｂ）に示すように、ビジュアルメニュー画面Ｖは、第１アイコン画面Ｖ１と、第２アイコン画面Ｖ２と、で構成されている。
第１アイコン画面Ｖ１は、上から順に、テレビを見るための「テレビを見る」項目Ｖ１１、テレビの視聴を予約又はテレビを録音するための「テレビの予約・録画」項目Ｖ１２、録画したテレビ又は動画を視聴・再生するための「録画したテレビ・動画」項目Ｖ１３、その他の機能をまとめた「その他メニューへ」項目Ｖ１４、が表示されている。この第１アイコン画面Ｖ１に表示される項目（第１の項目）は、機能の主な操作内容を示す。第１の項目は、操作部１４により上下方向に操作されることで選択される。なお、第１の項目は、アイコンと、当該アイコンの名称と、から成る。
【００４７】
また、図３（ｂ）では、「テレビを見る」項目Ｖ１１が選択枠３０に囲まれている。この選択枠３０は、ユーザが操作部１４を操作する（例えば方向指示キーの上下キーを操作する）ことにより、上下に移動させることができる。ユーザは、この選択枠３０を操作することにより、所望の項目を選択することができる。
図３（ｂ）に示すように、ユーザが「テレビを見る」項目Ｖ１１を選択すると、より詳細な操作内容を示す項目（第２の項目）が表示される。具体的には、地上デジタル放送を視聴するための「地上Ｄ」項目Ｖ１１１、ＢＳ放送を視聴するための「ＢＳ」項目Ｖ１１２、ＣＳ放送を視聴するための「ＣＳ１」項目Ｖ１１３及び「ＣＳ２」項目Ｖ１１４、が表示される。この第２の項目は、操作部１４により第１の項目が選択された場合にのみ表示される。ユーザは、操作部１４を操作する（例えば方向指示キーの左右キーを操作する）ことにより、小選択枠４０を左右に移動させることができる。このように、第２の項目は、操作部１４により左右方向に操作されることで選択される。これにより、ユーザは所望の項目を選択することができる。ここでは、「地上Ｄ」項目Ｖ１１１が選択されているため、地上デジタル放送の放送局を選択する画面に推移することが可能となっている。
「地上Ｄ」項目Ｖ１１１、「ＢＳ」項目Ｖ１１２、「ＣＳ１」項目Ｖ１１３及び「ＣＳ２」項目Ｖ１１４のいずれかが選択されると、各々の放送方式における放送局を選択する画面に推移し、所望の放送を視聴することが可能となる。
【００４８】
第２アイコン画面Ｖ２は、左から順に、ＣＤ、ＤＶＤ、ＢＤ等のディスクメディアを示すディスクアイコンＶ２１、ＵＳＢメモリを示すＵＳＢアイコンＶ２２、ＳＤカードを示すＳＤアイコンＶ２３、が表示されている。第２アイコン画面Ｖ２に表示される各アイコンは、その表示されたアイコンに対応するメディアが外部Ｉ／Ｆ２１又はディスク装置部２２に装着されていることを示している。すなわち、外部Ｉ／Ｆ２１又はディスク装置部２２から取り外されたメディアに対応するアイコンは、第２アイコン画面Ｖ２に表示されない。例えば、外部Ｉ／Ｆ２１からＳＤカードが取り外された場合、第２アイコン画面Ｖ２に表示されていたＳＤアイコンＶ２３が消えることとなる。
【００４９】
なお、ディスクアイコンＶ２１は、ＤＶＤ、ＢＤ、又はＤｉｖＸ等の映像データが記録されたＣＤ−Ｒ等のデータＣＤなど、ビジュアルに関するディスクがディスク装置部２２に装填されたときに表示させるようにしてもよい。同様に、ＵＳＢアイコンＶ２２、ＳＤアイコンＶ２３においても、ビジュアルに関するデータが記録された媒体が装着された場合に各アイコンを表示させるようにしてもよい。
【００５０】
図４は、オーディオメニュー又はビジュアルメニューが選択されたときの表示部１３の一例について示した図である。なお、図４（ａ）は、オーディオメニューが選択されたときの一例であり、図４（ｂ）は、ビジュアルメニューが選択されたときの一例である。
【００５１】
図４（ａ）に示すように、表示部１３において、ユーザによりオーディオメニューが選択されると、オーディオメニュー画面Ａが拡大表示される。一方、選択されなかったメニュー画面（この場合はビジュアルメニュー画面Ｖ）は、そのままの大きさで表示させてもよいし、選択された画面（この場合はオーディオメニュー画面Ａ）をより引き立たせるために、縮小表示させるようにしてもよい。
【００５２】
また、図４（ａ）では、「ラジオの予約・録音」項目Ａ１２が選択枠３０に囲まれている。ユーザがこの「ラジオの予約・録音」項目Ａ１２を選択すると、スケジュールを管理するための「スケジュール管理」項目Ａ１２１、視聴予約されたラジオ番組の一覧を表示させるための「予約一覧」項目Ａ１２２、ラジオの番組表を表示させるための「ラジオ番組表」項目Ａ１２３、が表示される。ここでは、「ラジオ番組表」項目Ａ１２３が選択されているため、ラジオの番組表を表示させることが可能となっている。
【００５３】
図４（ｂ）に示すように、表示部１３において、ユーザによりビジュアルメニューが選択されると、ビジュアルメニュー画面Ｖが拡大表示される。一方、選択されなかったメニュー画面（この場合はオーディオメニュー画面Ａ）は、そのままの大きさで表示させてもよいし、選択された画面（この場合はビジュアルメニュー画面Ｖ）をより引き立たせるために、縮小表示させるようにしてもよい。
【００５４】
また、図４（ｂ）では、「テレビの予約・録画」項目Ｖ１２が選択枠３０に囲まれている。ユーザがこの「テレビの予約・録画」項目Ｖ１２を選択すると、スケジュールを管理するための「スケジュール管理」項目Ｖ１２１、視聴予約されたテレビ番組の一覧を表示させるための「予約一覧」項目Ｖ１２２、テレビの番組表を表示させるための「テレビ番組表」項目Ｖ１２３、が表示される。ここでは、「テレビ番組表」項目Ｖ１２３が選択されているため、テレビの番組表を表示させることが可能となっている。
【００５５】
なお、図４（ｂ）に表示された画面は、図４（ａ）に表示された画面において、ユーザが方向指示キーの右キーを押下することによっても表示させることができる。すなわち、ユーザがオーディオメニュー画面Ａ上の小項目を選択する際に、小選択枠４０が最右端の項目に位置している状態で方向指示キーの右キーを押下すると、メニュー画面の切り替え（ビジュアルメニュー画面Ｖの拡大表示）が行われる。その際、選択枠３０は、同列にある項目を選択するように移動する。例えば図４（ａ）に示すように、選択枠３０が「ラジオの予約・録音」項目Ａ１２を選択している場合において、メニュー画面の切り替えが行われると、「テレビの予約・録画」項目Ｖ１２が選択枠３０に選択された状態で表示される。これは、各メニュー画面において、同列に類似する機能が配置されていることが多く、同列で移動させる方が便利だからである。
【００５６】
このように、本実施形態に係るマルチメディア装置１は、オーディオメニュー画面Ａ及びビジュアルメニュー画面Ｖという２つのメニュー画面を有し、適宜切り替え操作を行うことにより、所望の機能を直感的に選択することが可能となる。
また、表示部１３に一度に表示される項目が絞られるため、ユーザの視線の動きを少なくすることができる。また、カーソル移動を少なくすることができる。
【００５７】
以上、本発明に係る実施形態に基づいて具体的に説明したが、本発明は上記実施形態に限定されるものではなく、その要旨を逸脱しない範囲で変更可能である。
【００５８】
例えば、上記実施形態では、選択されていないメニュー画面において、項目（アイコン及びその名称）を表示させるようにしているが、項目を表示させずにメニュー名（例えばＡＵＤＩＯ又はＶＩＳＵＡＬという文字）のみを表示させるようにしてもよい。
【００５９】
また、上記実施形態では、外部Ｉ／Ｆ２１に装着されていないメディアに対応するアイコンは第２アイコン画面Ｖ２に表示させないようにしているが、表示されたアイコン（外部Ｉ／Ｆ２１に装着されているメディアに対応するアイコン）と比べて薄く表示させることで装着されていないことを判別できるようにしてもよい。
【００６０】
その他、マルチメディア装置１を構成する各装置の細部構成及び細部動作に関しても、本発明の趣旨を逸脱することのない範囲で適宜変更可能である。
【符号の説明】
【００６１】
１  マルチメディア装置
１１  制御部
１２  記憶部
１３  表示部
１４  操作部
１５  アンテナ
１６  ＴＶチューナ
１７  ラジオチューナ
１８  映像処理部
１９  音声処理部
２０  スピーカ
２１  外部Ｉ／Ｆ
２２  ディスク装置部
【図１】
2011107736.tif 000003
【図２】
2011107736.tif 000004
【図３】
2011107736.tif 000005
【図４】
2011107736.tif 000006
【図５】
2011107736.tif 000007
【図６】
2011107736.tif 000008
【手続補正書】
【提出日】平成22年1月28日(2010.1.28)
【手続補正１】
【補正対象書類名】明細書
【補正対象項目名】００１４
【補正方法】変更
【補正の内容】
【００１４】
請求項１に記載の発明は、上記目的を達成するためになされたものであり、マルチメディア装置において、装置が備える複数の機能における各々の操作内容を示す複数の項目を表示するメニュー及び前記項目を選択可能な操作部と、前記操作部により選択されたメニュー及び当該メニューに表示される複数の項目のうち前記機能における主な操作内容を示す第１の項目を拡大して表示させ、前記操作部により前記第１の項目が選択された場合に、前記第１の項目のより詳細な操作内容を示す第２の項目を表示させるとともに、前記選択されたメニューに表示される複数の項目のうち一の項目が選択された状態において、他のメニューが表示されている方向への前記操作部による移動操作を受け付けると、当該他のメニューに表示される複数の項目のうち前記選択された一の項目と同列に表示された項目を、選択された状態で表示させる制御部と、を備えることを特徴とする。 
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
請求項２に記載の発明は、請求項１に記載のマルチメディア装置において、前記第１の項目は、アイコンと、当該アイコンの名称と、から成ることを特徴とする。 
【手続補正４】
【補正対象書類名】明細書
【補正対象項目名】００１７
【補正方法】変更
【補正の内容】
【００１７】
請求項３に記載の発明は、請求項１又は２に記載のマルチメディア装置において、前記操作部は、前記メニュー及び前記項目を選択する際、上下左右方向に操作が可能であり、前記第１の項目は、前記操作部により上下方向に操作されることで選択され、前記メニュー及び前記第２の項目は、前記操作部により左右方向に操作されることで選択されることを特徴とする。 
【手続補正５】
【補正対象書類名】明細書
【補正対象項目名】００１８
【補正方法】変更
【補正の内容】
【００１８】
請求項４に記載の発明は、請求項１から３のいずれか一項に記載のマルチメディア装置において、外部記録媒体を着脱可能な外部Ｉ／Ｆをさらに備え、前記制御部は、前記外部記録媒体が前記外部Ｉ／Ｆに接続された際、当該外部記録媒体を示すアイコンを前記メニューに表示させることを特徴とする。 
【手続補正６】
【補正対象書類名】明細書
【補正対象項目名】００１９
【補正方法】変更
【補正の内容】
【００１９】
請求項５に記載の発明は、請求項１から４のいずれか一項に記載のマルチメディア装置において、前記メニューは、映像系メニューと、音声系メニューと、を含むことを特徴とする。 
【手続補正７】
【補正対象書類名】明細書
【補正対象項目名】００２０
【補正方法】変更
【補正の内容】
【００２０】
請求項６に記載の発明は、制御手段が、装置が備える複数の機能における各々の操作内容を示す複数の項目を表示するメニュー及び前記項目を選択可能な操作手段により選択されたメニュー及び当該メニューに表示される複数の項目のうち前記機能における主な操作内容を示す第１の項目を拡大して表示させ、前記操作手段により前記第１の項目が選択された場合に、前記第１の項目のより詳細な操作内容を示す第２の項目を表示させるとともに、前記選択されたメニューに表示される複数の項目のうち一の項目が選択された状態において、他のメニューが表示されている方向への前記操作手段による移動操作を受け付けると、当該他のメニューに表示される複数の項目のうち前記選択された一の項目と同列に表示された項目を、選択された状態で表示させる工程を含む画面表示方法である。 
【手続補正８】
【補正対象書類名】特許請求の範囲
【補正対象項目名】全文
【補正方法】変更
【補正の内容】
【特許請求の範囲】
【請求項１】
装置が備える複数の機能における各々の操作内容を示す複数の項目を表示するメニュー及び前記項目を選択可能な操作部と、
前記操作部により選択されたメニュー及び当該メニューに表示される複数の項目のうち前記機能における主な操作内容を示す第１の項目を拡大して表示させ、前記操作部により前記第１の項目が選択された場合に、前記第１の項目のより詳細な操作内容を示す第２の項目を表示させるとともに、前記選択されたメニューに表示される複数の項目のうち一の項目が選択された状態において、他のメニューが表示されている方向への前記操作部による移動操作を受け付けると、当該他のメニューに表示される複数の項目のうち前記選択された一の項目と同列に表示された項目を、選択された状態で表示させる制御部と、
を備えることを特徴とするマルチメディア装置。
【請求項２】
前記第１の項目は、アイコンと、当該アイコンの名称と、から成ることを特徴とする請求項１に記載のマルチメディア装置。 
【請求項３】
前記操作部は、前記メニュー及び前記項目を選択する際、上下左右方向に操作が可能であり、
前記第１の項目は、前記操作部により上下方向に操作されることで選択され、
前記メニュー及び前記第２の項目は、前記操作部により左右方向に操作されることで選択されることを特徴とする請求項１又は２に記載のマルチメディア装置。
【請求項４】
外部記録媒体を着脱可能な外部Ｉ／Ｆをさらに備え、
前記制御部は、前記外部記録媒体が前記外部Ｉ／Ｆに接続された際、当該外部記録媒体を示すアイコンを前記メニューに表示させることを特徴とする請求項１から３のいずれか一項に記載のマルチメディア装置。 
【請求項５】
前記メニューは、映像系メニューと、音声系メニューと、を含むことを特徴とする請求項１から４のいずれか一項に記載のマルチメディア装置。 
【請求項６】
制御手段が、装置が備える複数の機能における各々の操作内容を示す複数の項目を表示するメニュー及び前記項目を選択可能な操作手段により選択されたメニュー及び当該メニューに表示される複数の項目のうち前記機能における主な操作内容を示す第１の項目を拡大して表示させ、前記操作手段により前記第１の項目が選択された場合に、前記第１の項目のより詳細な操作内容を示す第２の項目を表示させるとともに、前記選択されたメニューに表示される複数の項目のうち一の項目が選択された状態において、他のメニューが表示されている方向への前記操作手段による移動操作を受け付けると、当該他のメニューに表示される複数の項目のうち前記選択された一の項目と同列に表示された項目を、選択された状態で表示させる工程を含む画面表示方法。
【手続補正書】
【提出日】平成22年8月11日(2010.8.11)
【手続補正１】
【補正対象書類名】明細書
【補正対象項目名】００１４
【補正方法】変更
【補正の内容】
【００１４】
請求項１に記載の発明は、上記目的を達成するためになされたものであり、マルチメディア装置において、装置が備える機能の操作内容を示す複数の項目を含む複数のメニュー及び前記複数の項目を択一的に選択可能な操作部と、前記操作部により、前記複数のメニューのうち一のメニューに含まれる複数の項目のうち前記機能の主な操作内容を示す第１の項目が選択された場合に、当該第１の項目のより詳細な操作内容を示す第２の項目を当該第１の項目と併せて表示させるとともに、当該第１の項目が選択されている状態において、前記操作部による他のメニューへの移動操作を受け付けた場合に、当該他のメニューに含まれる複数の第１の項目のうち前記選択された第１の項目に対応する第１の項目を選択した状態で表示させる制御部と、を備えることを特徴とする。
【手続補正２】
【補正対象書類名】明細書
【補正対象項目名】００１６
【補正方法】変更
【補正の内容】
【００１６】
請求項２に記載の発明は、請求項１に記載のマルチメディア装置において、前記制御部は、前記操作部により選択されたメニュー及び当該メニューに含まれる第１の項目を、前記操作部により選択されていないメニュー及び当該メニューに含まれる第１の項目よりも大きく表示させることを特徴とする。
【手続補正３】
【補正対象書類名】明細書
【補正対象項目名】００２０
【補正方法】変更
【補正の内容】
【００２０】
請求項６に記載の発明は、装置が備える機能の操作内容を示す複数の項目を含む複数のメニューのうち一のメニューに含まれる複数の項目のうち前記機能の主な操作内容を示す第１の項目が選択された場合に、当該第１の項目のより詳細な操作内容を示す第２の項目を当該第１の項目と併せて表示させ、当該第１の項目が選択されている状態において、操作部による他のメニューへの移動操作を受け付けた場合に、当該他のメニューに含まれる複数の第１の項目のうち前記選択された第１の項目に対応する第１の項目を選択した状態で表示させることを特徴とする画面表示方法である。
【手続補正４】
【補正対象書類名】特許請求の範囲
【補正対象項目名】全文
【補正方法】変更
【補正の内容】
【特許請求の範囲】
【請求項１】
装置が備える機能の操作内容を示す複数の項目を含む複数のメニュー及び前記複数の項目を択一的に選択可能な操作部と、
前記操作部により、前記複数のメニューのうち一のメニューに含まれる複数の項目のうち前記機能の主な操作内容を示す第１の項目が選択された場合に、当該第１の項目のより詳細な操作内容を示す第２の項目を当該第１の項目と併せて表示させるとともに、当該第１の項目が選択されている状態において、前記操作部による他のメニューへの移動操作を受け付けた場合に、当該他のメニューに含まれる複数の第１の項目のうち前記選択された第１の項目に対応する第１の項目を選択した状態で表示させる制御部と、
を備えることを特徴とするマルチメディア装置。
【請求項２】
前記制御部は、前記操作部により選択されたメニュー及び当該メニューに含まれる第１の項目を、前記操作部により選択されていないメニュー及び当該メニューに含まれる第１の項目よりも大きく表示させることを特徴とする請求項１に記載のマルチメディア装置。
【請求項３】
前記操作部は、前記メニュー及び前記項目を選択する際、上下左右方向に操作が可能であり、
前記第１の項目は、前記操作部により上下方向に操作されることで選択され、
前記メニュー及び前記第２の項目は、前記操作部により左右方向に操作されることで選択されることを特徴とする請求項１又は２に記載のマルチメディア装置。
【請求項４】
外部記録媒体を着脱可能な外部Ｉ／Ｆをさらに備え、
前記制御部は、前記外部記録媒体が前記外部Ｉ／Ｆに接続された際、当該外部記録媒体を示すアイコンを前記メニューに表示させることを特徴とする請求項１から３のいずれか一項に記載のマルチメディア装置。 
【請求項５】
前記メニューは、映像系メニューと、音声系メニューと、を含むことを特徴とする請求項１から４のいずれか一項に記載のマルチメディア装置。
【請求項６】
装置が備える機能の操作内容を示す複数の項目を含む複数のメニューのうち一のメニューに含まれる複数の項目のうち前記機能の主な操作内容を示す第１の項目が選択された場合に、当該第１の項目のより詳細な操作内容を示す第２の項目を当該第１の項目と併せて表示させ、
当該第１の項目が選択されている状態において、操作部による他のメニューへの移動操作を受け付けた場合に、当該他のメニューに含まれる複数の第１の項目のうち前記選択された第１の項目に対応する第１の項目を選択した状態で表示させることを特徴とする画面表示方法。